(57)【特許請求の範囲】
【請求項１】
スタビライザバーが挿通される内孔を有する筒状のブッシュ本体において該内孔を外周面に開放させて該スタビライザバーへの側方からの装着を可能にする切割りが周壁部に設けられていると共に、該周壁部における車両ボデー側への重ね合わせ面上に取付用台座が組み付けられている台座付きのスタビライザブッシュにおいて、
前記ブッシュ本体における前記切割りが前記周壁部における前記取付用台座とは反対側の半周部分に位置して設けられている一方、
該ブッシュ本体の前記重ね合わせ面には、該取付用台座に向かって突出して該取付用台座に設けられた嵌合孔への係止作用で該ブッシュ本体を該取付用台座への組付状態に保持する挿入突起が設けられていると共に、
該ブッシュ本体の該重ね合わせ面において前記内孔の中心軸に直交する幅方向で該中心軸に対応するセンターを外れた位置から該挿入突起が突設されていることを特徴とするスタビライザブッシュ。
【請求項２】
前記挿入突起が、前記ブッシュ本体の前記重ね合わせ面から突出して前記取付用台座の前記嵌合孔へ挿通される柄部と、該柄部の先端側から広がって該取付用台座における該嵌合孔の開口周縁部に係止される笠部とを有していると共に、
該柄部における該笠部への近接部分において該柄部の基端側よりも細くされた細柄部が設けられている請求項１に記載のスタビライザブッシュ。
【請求項３】
前記挿入突起が、前記ブッシュ本体の前記重ね合わせ面から突出して前記取付用台座の前記嵌合孔へ挿通される柄部と、該柄部の先端側から広がって該取付用台座における該嵌合孔の開口周縁部に係止される笠部とを有していると共に、
該柄部の長さが該嵌合孔の長さよりも大きくされている請求項１又は２に記載のスタビライザブッシュ。
【請求項４】
前記嵌合孔と前記挿入突起との各横断面が、相対回転により相互に当接される長円状断面とされている請求項１〜３の何れか１項に記載のスタビライザブッシュ。
【請求項５】
前記ブッシュ本体の前記周壁部には、前記切割りを挟んだ周方向両側に位置して補強用の中間板が固着されている請求項１〜４の何れか１項に記載のスタビライザブッシュ。
【請求項６】
前記ブッシュ本体の周壁部には、前記切割りを挟んだ周方向両側にそれぞれ半周以下の長さで広がる一対の前記中間板が配されていると共に、各該中間板の周方向両端縁部には外周側に向かって突出する端縁突起が一体形成されている請求項５に記載のスタビライザブッシュ。
【発明の詳細な説明】
【技術分野】
【０００１】
本発明は、スタビライザバーを車両ボデー側へ防振支持させるスタビライザブッシュに係り、特にブッシュ本体の車両ボデー側への重ね合わせ面上に取付用台座が組み付けられた台座付きのスタビライザブッシュに関する。
【背景技術】
【０００２】
従来から、自動車などの車両では、旋回時などにおける車体の傾きを抑えて走行安定性を向上させるためのスタビライザバーが用いられている。スタビライザバーは、アンチロールバーとも言われており、一般に左右のサスペンション部材の間に跨がって配設されていると共に、長さ方向の中間部分がスタビライザブッシュを介して車両ボデーに対して防振支持されている。
【０００３】
すなわち、スタビライザブッシュは、一般に、筒状のゴム弾性体からなるブッシュ本体を備えており、かかるブッシュ本体がスタビライザバーに対して外挿状態で装着されることとなる。一方、ブッシュ本体の外周面には溝形のブラケット金具が外嵌されており、ブッシュ本体が周上で部分的に車両ボデー側に重ね合わされた状態で、ブッシュ本体の外周部分がブラケット金具により車両ボデー側に取り付けられるようになっている。
【０００４】
ところで、スタビライザバーと車両ボデー側部材との相対的な位置関係は車種によって異なっており、スタビライザバーが車両ボデー側部材から大きく離れている場合等もある。その場合には、特開２００９−２５５８８８号公報（特許文献１）に記載されているように、ブッシュ本体の車両ボデー側への重ね合わせ面に取付用台座を組み付けた台座付きのスタビライザブッシュが用いられることがある。
【０００５】
また、このような台座付きのスタビライザブッシュでは、ブッシュ本体に突設された挿入突起が取付用台座に形成された嵌合孔へ係止されることによって、ブッシュ本体と取付用台座が組付状態に保持されるようになっている。これにより、ブッシュ本体と取付用台座を一体的に取り扱って、ブッシュ本体の周壁部に形成されたスリット状の切割りを開いてスタビライザバーへ側方から装着することにより、作業者がブッシュ本体をスタビライザバーへの外挿状態で装着することができる。
【先行技術文献】
【特許文献】
【０００６】
【特許文献１】特開２００９−２５５８８８号公報
【発明の概要】
【発明が解決しようとする課題】
【０００７】
ところが、本発明者が検討したところ、従来構造の台座付きのスタビライザブッシュでは、スタビライザバーへ装着する際に、意図せずに台座がブッシュ本体から外れてしまうことがあり、装着作業に支障をきたすおそれのあることが明らかとなった。即ち、スタビライザバーへの装着に際して切割りを広げる操作に伴ってブッシュ本体に惹起される弾性変形により、ブッシュ本体の挿入突起が取付用台座の嵌合孔から抜け出して外れることで取付用台座がブッシュ本体から脱落するおそれのあることが判ったのである。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
本発明の第一の態様の特徴とするところは、スタビライザバーが挿通される内孔を有する筒状のブッシュ本体において該内孔を外周面に開放させて該スタビライザバーへの側方からの装着を可能にする切割りが周壁部に設けられていると共に、該周壁部における車両ボデー側への重ね合わせ面上に取付用台座が組み付けられている台座付きのスタビライザブッシュにおいて、前記ブッシュ本体における前記切割りが前記周壁部における前記取付用台座とは反対側の半周部分に位置して設けられている一方、該ブッシュ本体の前記重ね合わせ面には、該取付用台座に向かって突出して該取付用台座に設けられた嵌合孔への係止作用で該ブッシュ本体を該取付用台座への組付状態に保持する挿入突起が設けられていると共に、該ブッシュ本体の該重ね合わせ面において前記内孔の中心軸に直交する幅方向で該中心軸に対応するセンターを外れた位置から該挿入突起が突設されているスタビライザブッシュにある。
【００１０】
先ず、従来構造の台座付きのスタビライザブッシュにおける前述の問題点について本発明者が検討を加えたところ、スタビライザバーへの装着の際にブッシュ本体の弾性変形が特定の態様をもって惹起されることに起因することが明らかとなった。即ち、ブッシュ本体をスタビライザバーへ装着するに際しては、切割りを広げるように周壁部を弾性変形させることとなるが、ブッシュ本体の取付用台座への重ね合わせ部分では、切割りを広げる方向へ周壁部に及ぼされる外力が、取付用台座の幅方向両端部分を支点とするモーメントとして作用せしめられる。その結果、ブッシュ本体の周壁部における取付用台座への重ね合わせ部分では、幅方向両端部分が取付用台座へ押し付けられる一方、幅方向中央部分が取付用台座から浮き上がるように変形することとなる。
【００１１】
特に、取付用台座への重ね合わせ部分におけるブッシュ本体の周壁部の厚さ寸法は、略円形断面の中心孔が採用されることで幅方向の略中央部分において薄肉となるために、厚肉の幅方向両端部に比して弾性変形しやすくなり、取付用台座から一層浮き上がりやすい。また、ブッシュ本体の周壁部の切割りが取付用台座と反対側に設けられた場合には、ブッシュ本体の周壁部における取付用台座への重ね合わせ部分に作用するモーメントのアーム長が大きくなることから、取付用台座への重ね合わせ部分の弾性変形量ひいては取付用台座からの浮き上がり量が一層大きくなりやすいことがわかった。
【００１２】
このような新たな知見に基づいて完成された本発明の第一の態様に従う構造のスタビライザブッシュにおいては、ブッシュ本体における取付用台座への係止用の挿入突起が、切割りを開いてブッシュ本体を弾性変形させた際に取付用台座から最も大きく離れる位置を外れて設けられることとなる。それ故、スタビライザバーへの装着に際して、ブッシュ本体を弾性変形させることで挿入突起に及ぼされる嵌合孔からの引抜方向の変位量や力が軽減されることから、挿入突起が嵌合孔から意図せず抜け出してブッシュ本体から取付用台座が外れてしまう不具合が抑えられ得る。
【００１３】
本発明の第二の態様は、前記第一の態様に係るスタビライザブッシュにおいて、前記挿入突起が、前記ブッシュ本体の前記重ね合わせ面から突出して前記取付用台座の前記嵌合孔へ挿通される柄部と、該柄部の先端側から広がって該取付用台座における該嵌合孔の開口周縁部に係止される笠部とを有していると共に、該柄部における該笠部への近接部分において該柄部の基端側よりも細くされた細柄部が設けられているものである。
【００１４】
本態様に従う構造とされたスタビライザブッシュでは、嵌合孔の開口周縁部に対する笠部の引っ掛かりによって挿入突起の嵌合孔からの抜け出しがより確実に防止される。また、取付用台座をブッシュ本体へ組み付けるために笠部を嵌合孔へ押し込んで嵌め入れるに際しても、細柄部により笠部の変形領域が柄部の外周面上に確保されて、笠部が一層小さく折り曲げられることから、挿入突起の嵌合孔への挿通作業も容易となる。
【００１５】
本発明の第三の態様は、前記第一又は第二の態様に係るスタビライザブッシュにおいて、前記挿入突起が、前記ブッシュ本体の前記重ね合わせ面から突出して前記取付用台座の前記嵌合孔へ挿通される柄部と、該柄部の先端側から広がって該取付用台座における該嵌合孔の開口周縁部に係止される笠部とを有していると共に、該挿通突起の該柄部の長さが該嵌合孔の長さよりも大きくされているものである。
【００１６】
本態様に従う構造とされたスタビライザブッシュによれば、ブッシュ本体への取付用台座の組付状態での笠部が嵌合孔における係止部分から外方に離隔して所定量の遊びが設定されることとなる。それ故、切割りを開いてブッシュ本体を弾性変形させた際に、ブッシュ本体における挿入突起の形成部位が取付用台座から多少離れても、挿入突起の笠部が嵌合孔の開口周縁部に対する係止状態へ一層安定して維持され得る。
【００１７】
本発明の第四の態様は、前記第一〜第三の何れか一つの態様に係るスタビライザブッシュにおいて、前記嵌合孔と前記挿入突起との各横断面が、相対回転により相互に当接される長円状断面とされているものである。
【００１８】
本態様に従う構造とされたスタビライザブッシュによれば、嵌合孔と挿入突起との相対回転が防止されることで、ブッシュ本体と取付用台座とが、組付状態において所定の相対位置関係に保持され得る。これにより、例えばスタビライザブッシュをスタビライザバーや車両ボデー側へ装着するに際して、ブッシュ本体と取付用台座を正しく位置合わせし直すなどといった面倒な作業も不要となって作業効率の向上も図られ得る。
【００１９】
本発明の第五の態様は、前記第一〜第四の何れか一つの態様に係るスタビライザブッシュにおいて、前記ブッシュ本体の前記周壁部には、前記切割りを挟んだ周方向両側に位置して補強用の中間板が固着されているものである。
【００２０】
本態様に従う構造とされたスタビライザブッシュでは、中間板によってスタビライザバーの防振支持特性のチューニング自由度が大きくなる。また、切割りを挟んだ周方向両側に中間板を配すると、中間板の配設部分の変形が抑えられることで、スタビライザバーへの装着時に切割りを開いた際のブッシュ本体の弾性変形が取付用台座の重ね合わせ部分等に集中するおそれもあるが、本発明では前述のように挿入突起の嵌合孔への係止状態が安定して維持されることから、取付用台座のブッシュ本体からの不用意な離脱を防止しつつ中間板を採用することが可能になる。
【００２１】
本発明の第六の態様は、前記第五の態様に係るスタビライザブッシュにおいて、前記ブッシュ本体の周壁部には、前記切割りを挟んだ周方向両側にそれぞれ半周以下の長さで広がる一対の前記中間板が配されていると共に、各該中間板の周方向両端縁部には外周側に向かって突出する端縁突起が一体形成されているものである。
【００２２】
本態様に従う構造とされたスタビライザブッシュによれば、端縁突起を設けたことにより、中間板の剛性ひいてはブッシュ本体への補強効果の向上が図られ得る。なお、本態様における端縁突起は、例えばブッシュ本体の軸方向両端面に突出位置させることで、ブッシュ本体の成形キャビティ内での中間板の位置決め支持部などとして利用することも可能である。
【発明の効果】
【００２３】
本発明に従う構造とされたスタビライザブッシュでは、スタビライザバーへの装着に際してブッシュ本体を切割りで拡開させた場合でも、ブッシュ本体を取付用台座への組付状態に保持する挿入突起の突出位置における取付用台座からのブッシュ本体の離隔が軽減される。その結果、挿入突起の嵌合孔への係止状態が安定して維持され得て、取付用台座のブッシュ本体からの不用意な脱落が効果的に回避され得る。
【図面の簡単な説明】
【００２４】
【図１】本発明の一実施形態としてのスタビライザブッシュの車両への装着状態を示す正面図。
【図２】図１に示されたスタビライザブッシュを構成するブッシュ本体を示す底面図。
【図３】図２におけるＩＩＩ−ＩＩＩ断面図。
【図４】図３におけるＩＶ−ＩＶ断面図。
【図５】図３におけるＶ−Ｖ断面図。
【図６】図２に示されたブッシュ本体の挿入突起を拡大して示す正面図であって、当該挿入突起が挿入される取付用台座を併せて示す図。
【図７】図６におけるＶＩＩ−ＶＩＩ断面図。
【図８】図１に示されたスタビライザブッシュを構成する取付用台座を示す平面図。
【図９】図１に示されたスタビライザブッシュをスタビライザバーに装着する際に切割りで拡開変形させた状態を示す縦断面図。
【発明を実施するための形態】
【００２５】
以下、本発明の実施形態について、図面を参照しつつ説明する。
【００２６】
先ず、図１には、本発明の一実施形態としてのスタビライザブッシュ１０が、車両への装着状態で示されている。このスタビライザブッシュ１０は、ブッシュ本体１４へ取付用台座１５が組み付けられることによって構成されている。そして、ブッシュ本体１４が自動車のスタビライザバー１６に外挿状態で装着される一方、ブッシュ本体１４が取付用台座１５を介して車両ボデー側の部材であるサブフレーム１８などに重ね合わされた状態で外周面をブラケット１９で固定的に保持されることにより、スタビライザバー１６が車両ボデー１８に防振支持せしめられるようになっている。
【００２７】
なお、以下の説明において、上下方向および高さ方向は、図１中の上下方向を言う。幅方向は、図１中の左右方向を言う。軸方向は、図１中において、紙面に直交する方向を言う。図１中の上下方向は、車両の上下方向と必ずしも一致するものではない。
【００２８】
より詳細には、ブッシュ本体１４は、図２〜５に示されるように、全体として略厚肉の筒状とされている。ブッシュ本体１４の中央部分には、円形断面で軸方向へストレートに延びる内孔２０が形成されており、内孔２０を囲む周壁部２２の外周面は略小鉤形状とされている。
【００２９】
すなわち、ブッシュ本体１４の周壁部２２の外周面は、軸直角方向の断面において、上側半分が略半円形とされていると共に、両側が上下方向へ平行に延びている。そして、これら上側半分と両側部分とによって、全体として逆Ｕ字形状を有し、後述するブラケット１９で車両ボデー１８側へ締結される外周締結面２４が構成されている。
【００３０】
また、ブッシュ本体１４の周壁部２２の外周面のうち、下側の底面は幅方向に広がる略平坦な重ね合わせ面２６とされている。そして、この重ね合わせ面２６において、ブッシュ本体１４が、取付用台座１５を介して車両ボデー１８に重ね合わされて固定的に取り付けられるようになっている。
【００３１】
なお、周壁部２２の外周締結面２４には、軸方向中間部分を周方向に延びる山部２８，２８や谷部３０が形成されている。そして、外周締結面２４に装着されるブラケット１９が、これら山部２８，２８や谷部３０に対応する波形の凹凸形状を与えられて、外周締結面２４に対してブラケット１９が密着状態で重ね合わされることにより、外周締結面２４とブラケット１９が軸方向で相互に位置合わせされて固定的に組み付けられるようになっている。
【００３２】
また、周壁部２２の重ね合わせ面２６には、幅方向両側近くに段差３４，３４が形成されており、幅方向中央部分が両端部分よりも下方に突出した嵌合凸部３６とされている。この嵌合凸部３６は、軸方向の全長に亘って連続して延びており、嵌合凸部３６の突出先端面は左右方向に所定幅で広がる略平坦面とされている。
【００３３】
さらに、ブッシュ本体１４の周壁部２２における頂点付近となる周方向略中央部分には、切割り３８が形成されている。かかる切割り３８は、周壁部２２の内外周面を半径方向に貫通しており、周壁部２２の軸方向の全長に亘って連続して延びている。本実施形態では、切割り３８が、実質的に幅寸法のないスリット状に形成されており、例えばブッシュ本体１４の成形後にカッターナイフなどで切り裂くことで形成されている。
【００３４】
すなわち、ブッシュ本体１４の周壁部２２は、切割り３８の形成部位において周上で構造的に分断されていることから、切割り３８の両側部分を相互に周方向で離隔させる方向に引っ張ることで、周壁部２２を周上の一箇所で拡開するように弾性変形させることができるようになっている。そして、このような弾性変形により、ブッシュ本体１４をスタビライザバー１６の側方から組み付けて外挿状態で装着することが可能とされている。
【００３５】
特に本実施形態では、切割り３８が、周壁部２２の重ね合わせ面２６の幅方向中心とブッシュ本体１４の中心軸（内孔２０の中心軸）とを通って上下方向に延びる直線Ｌ上に形成されている。これにより、切割り３８が、ブッシュ本体１４の中心軸を挟んで、重ね合わせ面２６上に組み付けられる取付用台座１５と反対側に位置する周壁部２２上に設けられている。
【００３６】
また、本実施形態のブッシュ本体１４の周壁２２には、中間板３９が埋設状態で固着されている。この中間板３９は、内孔２０の周上でそれぞれ半周弱の長さで広がる円弧状の湾曲板からなる一対の分割板４０，４０により構成されている。それぞれの分割板４０，４０は、ブッシュ本体１４の周壁部２２の厚さ方向中間部分に埋設されており、内孔２０の中心軸と平行に軸方向の両端近くまで延びている。また、これら分割板４０，４０は、切割り３８が位置する前記直線Ｌを挟んだ両側に位置して、左右で相互に対向位置して配されている。
【００３７】
なお、各分割板４０の周方向両側の端縁部には、それぞれ外周側に向かって突出する端縁突起４２，４２が一体形成されている。本実施形態では、各分割板４０の長さ方向両端部に位置して、かかる端縁突起４２，４２が設けられている。これらの端縁突起４２，４２は、ブッシュ本体１４との接着面積の向上などを図り得るほか、例えばブッシュ本体１４の成形用型の成形キャビティ内に分割板４０をセットしてインサート成形するに際して、成形用型で挟んで固定する部位等として利用することもできる。また、分割板４０では、ブッシュ本体１４の成形時における成形キャビティ内でのゴム材料の回り込みを考慮して、板厚方向に貫通する複数の貫通孔４４が、適宜に形成され得る。
【００３８】
因みに、ブッシュ本体１４や中間板３９の材質は特に限定されるものでないが、例えばブッシュ本体１４としては、天然ゴム（ＮＲ）や、ブタジエンゴム（ＢＲ）、スチレン・ブタジエンゴム（ＳＢＲ）などの合成ゴム材料が採用され得る。また、中間板３９としては、ブッシュ本体１４よりも剛性が高く成形も容易な金属や硬質の合成樹脂材などが採用され得る。
【００３９】
さらに、ブッシュ本体１４の周壁部２２において重ね合わせ面２６を形成する底壁部４５には、重ね合わせ面２６において下方に向かって突出する挿入突起４６が形成されている。
【００４０】
この挿入突起４６は、図１，６などにも示されているように、ブッシュ本体１４の幅方向において、内孔２２の中心を通り上下方向に延びる直線Ｌから外れた位置から突出しており、直線Ｌと略平行に伸びている。特に、本実施形態では、挿入突起４６の全体が直線Ｌから左右方向に外れている。なお、かかる挿入突起は、嵌合凸部３６の下面に複数設けられてもよいが、本実施形態では、一つの挿入突起４６が、図１において直線Ｌから右側に外れて設けられている。
【００４１】
挿入突起４６は、底壁部４５の嵌合凸部３６から下方に向かってストレートに突出する柄部４８を有していると共に、柄部４８の突出先端には、外周に向かって広がる笠部５０が形成されている。また、柄部４８および笠部５０の横断面は、図７にも示されているように、長円または楕円からなる長円形状とされており、笠部５０が、柄部４８よりも一回り大きい外周形状とされている。
【００４２】
また、柄部４８の突出先端側で笠部５０に近接位置する部分は、外周形状が基端部よりも小さくされた細柄部としてのテーパ状部５２が設けられている。すなわち、テーパ状部５２では、柄部４８の断面の長軸方向両側の円弧状外周面における径寸法が、笠部５０に向かって次第に小さくされている。なお、テーパ状部５２の形成長さは限定されるものでないが、柄部４８の先端外周面から笠部５０の外周側への突出寸法と略同じかそれより大きな上下方向長さ領域にテーパ状部５２が形成されることが望ましい。
【００４３】
このようなテーパ状部５２が設けられていることにより、笠部５０を柄部４８側へ折り畳むように押し曲げた際に、柄部４８の外周面に重なるように弾性変形した笠部５０がテーパ状部５２へ入り込むことで、弾性変形した笠部５０の外径寸法を一層小さくすることが可能となっている。なお、テーパ状部５２は、柄部４８側に弾性変形した笠部５０の変形スペースを与えるものであり、例えば柄部４８の全周に亘って形成されていても良い。
【００４４】
また、本実施形態では、笠部５０の裏面（図６の上面）は、外周縁部から柄部４８に向かって次第に柄部４８の基端側に突出する傾斜面５３とされており、上述のように笠部５０が柄部４８側に弾性変形した際に、笠部５０の裏面（傾斜面５３）が、柄部４８のテーパ状部５２の表面に沿い易くなっている。尤も、笠部５０の裏面は、柄部４８の軸直角方向に広がっていたり、中央側から外周縁部に向かって次第に柄部４８の基端側に突出する逆傾斜面とされていても良く、それによって、取付用台座１５への係止力を向上させることも可能である。
【００４５】
また一方、笠部５０の表面（図６の下面）は、外周縁部から中央に向かって次第に突出方向先端側に突出する傾斜案内面５４とされている。これにより、取付用台座１５の後述する嵌合孔６０への挿入作業の向上等が図られている。
【００４６】
一方、取付用台座１５は、硬質の合成樹脂や金属で形成されており、図８に示されているように、全体として略厚肉板状または矩形ブロック状の部材とされている。この取付用台座１５は、ブッシュ本体１４の底面形状と略同じ大きさの平面形状とされている。
【００４７】
また、取付用台座１５の上面の形状は、ブッシュ本体１４の下面の形状に略対応しており、取付用台座１５の上面における幅方向中央部分には、所定幅で軸方向に延びる平底状の嵌合凹部５６が設けられている。更にまた、取付用台座１５の上面の幅方向両端縁部には、嵌合凹部５６の両側壁をなして軸方向に延びる突条からなる位置決め突部５８，５８が設けられている。そして、嵌合凹部５６の幅方向両側における位置決め突部５８，５８との間は、滑らかに湾曲した段差面とされている。
【００４８】
これにより、取付用台座１５の上面には、ブッシュ本体１４が載置され、ブッシュ本体１４の重ね合わせ面２６が、略全体に亘って当接状態で重ね合わされるようになっている。
【００４９】
さらに、取付用台座１５には、挿入突起４６と対応する位置で上面に開口して、下方に向かって延びる嵌合孔６０が形成されている。また、嵌合孔６０の形成部位では、取付用台座１５の下面に開口する座ぐり穴６１が形成されている。そして、座ぐり穴６１の内周形状が嵌合孔６０よりも大きくされていることで、座ぐり穴６１の上底面の略中央に位置して、嵌合孔６０の軸方向下側の開口が設けられている。なお、これら嵌合孔６０および座ぐり穴６１の横断面は、挿入突起４６と同様に長円または楕円からなる長円形状とされている。また、嵌合孔６０の大きさは、笠部５０より小さくされており、柄部４８と略同じか僅かに大きくされている。一方、座ぐり穴６１は、笠部５０より大きくされている。
【００５０】
また、取付用台座１５における嵌合孔６０の上方の開口縁部には、上方に向かって次第に拡開するテーパ面６４が設けられている。かかるテーパ面６４は、嵌合孔６０の周上で部分的であっても良いが、本実施形態では全周に亘って形成されている。
【００５１】
そして、取付用台座１５の上面にブッシュ本体１４が重ね合わされて、挿入突起４６の笠部５０が嵌合孔６０に押し通されて嵌合孔６０を下方に向けて通過せしめられることで、柄部４８が嵌合孔６０を貫通する状態で、挿入突起４６が嵌合孔６０に対して挿通される。これにより、嵌合孔６０を通過する際に押し縮められた笠部５０が、座ぐり穴６１内で広がって位置せしめられ、座ぐり穴６１の上底面である嵌合孔６０の下方の開口周縁部に当接して引っ掛かる係止作用により、挿入突起４６の嵌合孔６０から上方への引き抜きが阻止されるようになっている。
【００５２】
すなわち、ブッシュ本体１４の挿入突起４６が取付用台座１５の嵌合孔６０への挿通状態に維持されることにより、ブッシュ本体１４が取付用台座１５に対して重ね合わされた組付状態に保持されるようになっている。なお、嵌合凸部３６および嵌合凹部５６の幅方向両側面がそれぞれ下傾する湾曲面とされていることから、ブッシュ本体１４が取付用台座１５の所定位置に滑らかに案内される。それに加えて、挿入突起４６の先端に傾斜案内面５４が設けられているとともに、嵌合孔６０の上方開口部にもテーパ面６４が設けられていることから、挿入突起４６が嵌合孔６０に案内され易くなっている。
【００５３】
ここにおいて、嵌合孔６０の上下方向寸法Ｔｄは、挿入突起４６における柄部４８の上下方向寸法Ｔｓよりも小さくされている。その結果、図１などにも示されているように、ブッシュ本体１４と取付用台座１５との組付状態では、嵌合孔６０に挿通された挿入突起４６の柄部４８の先端側（下端側）が座ぐり穴６１内に所定高さで突出されて、笠部５０が座ぐり穴６１内に収容状態で位置せしめられている。すなわち、ブッシュ本体１４と取付用台座１５との組付時には、笠部５０の裏面５３と、嵌合孔６０の開口端面である座ぐり穴６１の上底面とが、上下方向で相互に離隔している。したがって、ブッシュ本体１４と取付用台座１５との組付時には、上下方向での所定量の遊びが設定されており、挿入突起４６の嵌合孔６０への挿通状態を維持したままで、ブッシュ本体１４における取付用台座１５から離隔方向への相対変位が許容されるようになっている。
【００５４】
また、ブッシュ本体１４の取付用台座１５への組付状態では、取付用台座１５の嵌合凹部５６にブッシュ本体１４の嵌合凸部３６が嵌め入れられており、挿入突起４６の嵌合孔６０への挿通による係止作用と相俟って、取付用台座１５とブッシュ本体１４とが相互に位置決めされている。すなわち、本実施形態のスタビライザブッシュ１０では、挿入突起４６の柄部４８や笠部５０が、嵌合孔６０や座ぐり穴６１と対応する非円形の横断面形状とされており、相対的な軸回り変位に際して挿入突起４６の外周面が嵌合孔６０や座ぐり穴６１の内周面に当たることで、軸回り変位が防止されている。また、挿入突起４６によってブッシュ本体１４と取付用台座１５との相対的な離隔変位が制限されていることから、ブッシュ本体１４と取付用台座１５との相対回転に際して嵌合凸部３６が嵌合凹部５６の両側段差へ当たることによっても、ブッシュ本体１４と取付用台座１５との相対回転が防止されている。
【００５５】
そして、スタビライザブッシュ１０がスタビライザバー１６に外挿状態で装着されるとともに、スタビライザブッシュ１０の外周締結面２４にブラケット１９が装着されて、ブラケット１９がサブフレーム１８などの車両ボデー側の部材にボルト６８などで固定されることにより、スタビライザバー１６が車両ボデー１８に対して防振支持されることとなる。なお、スタビライザブッシュ１０の高さ寸法をブラケット１９の高さ寸法より大きくすることなどにより、スタビライザブッシュ１０の車両装着時には、ブッシュ本体１４が軸直角方向で圧縮されるとともに、取付用台座１５の下面がサブフレーム１８の上面に対して押し付けられる。
【００５６】
なお、ブラケット１９の構造は限定されるものではないが、例えば図１に示されているように、門形部材の開口両端部から一対の取付部７０，７０が外方に延び出す構造とされて、当該取付部７０，７０に設けられたボルト孔７２，７２にボルト６８，６８が螺着されることにより、ブラケット１９がサブフレーム１８などに固定される。
【００５７】
ここにおいて、スタビライザブッシュ１０のスタビライザバー１６への装着においては、図９に示されているように、スタビライザブッシュ１０の切割り３８を開いて拡開変形させることで内孔２０を外周面に開放して、スタビライザバー１６を側方から挟み込むことによってなされる。なお、スタビライザブッシュ１０とスタビライザバー１６は相互に接着されてもよいし、非接着とされてもよい。また、スタビライザブッシュ１０とスタビライザバー１６とが非接着とされる場合には、内孔２２に自己潤滑性を有する合成樹脂や潤滑剤などを介在又は塗布させて滑り性を向上させるなどしてもよい。
【００５８】
ところで、切割り３８を開いてブッシュ本体１４を弾性変形させた際、ブッシュ本体１４における切割り３８を挟んだ両側部分のそれぞれは、取付用台座１５の幅方向両端部分を中心として、図９中の白矢印の方向に外力が及ぼされる。一方、それに伴い、ブッシュ本体１４における内孔２０を挟んで切割り３８と反対側では、取付用台座１５に重ね合わされた底壁部４５に曲げモーメントが作用することとなり、底壁部４５の幅方向中間部分、特に内孔２０の中心が位置する直線Ｌ上では、図９中の白矢印の方向の力が及ぼされて取付用台座１５から浮き上がるように弾性変形せしめられる。
【００５９】
ここで、挿入突起４６の突出位置は、底壁部４５において曲げモーメントが大きくなって変位量が最も大きくなる直線Ｌ上から幅方向に外れている。それ故、図９に示されているように、ブッシュ本体１４の底壁部が浮き上がったとしても、挿入突起４６の突出位置におけるブッシュ本体１４の取付用台座１５からの浮き上がりは軽減されて、挿入突起４６が嵌合孔６０から抜け出すことが防止される。その結果、本実施形態のスタビライザブッシュ１０を採用することにより、ブッシュ本体１４をスタビライザバー１６に装着する際の、ブッシュ本体１４からの取付用台座１５の脱落が効果的に防止され得る。
【００６０】
特に、本実施形態では、挿入突起４６の全体が直線Ｌ上から外れており、挿入突起４６の突出位置がブッシュ本体１４の幅方向中央部分から大きく外れていることから、挿入突起４６の形成部分におけるブッシュ本体１４の取付用台座１５からの浮き上がりが一層効果的に防止され得る。
【００６１】
また、ブッシュ本体１４と取付用台座１５との組付状態において、笠部５０と嵌合孔６０との間に上下方向の遊びが設定されている。それ故、ブッシュ本体１４の幅方向中央部分が取付用台座から浮き上がっても、挿入突起４６の抜け出し方向への全体的な移動がある程度許容されて、挿入突起４６の嵌合孔６０への挿通状態が安定して維持され得る。
【００６２】
しかも、前述のように、組付状態下でのブッシュ本体１４と取付用台座１５との相対回転が防止されることから、スタビライザブッシュ１０の装着時における面倒な位置合わせ作業が軽減され得る。
【００６３】
また、挿入突起４６を嵌合孔６０へ挿通する作業時には、弾性変形した笠部５０が柄部４８のテーパ状部５２へ納まるように重ね合わされることで、挿入抵抗が軽減されて作業が容易となる。なお、挿入突起４６は複数設けても良いが、本実施形態では、一つの挿入突起４６が直線Ｌを挟んで幅方向一方の側に偏倚して設けられていることから、ブッシュ本体１４と取付用台座１５とを一層速やかに組み付けることが可能である。
【００６４】
更にまた、本実施形態では、スタビライザブッシュ１０のスタビライザバーへの組付時におけるブッシュ本体１４の弾性変形態様が中間板３９で安定して発現され得て、不用意な変形によるブッシュ本体１４の取付用台座１５からの離脱も回避される。尤も、本実施形態では、一対の分割板４０，４０の存在によって、切割り３８で拡開した際のブッシュ本体１４の弾性変形量が、底壁部４５の幅方向中央に集中して大きくなりやすいが、上述のように挿入突起４６が底壁部４５の幅方向中心から外れていることや、軸方向で遊びをもって嵌合孔６０へ挿通されていることにより、ブッシュ本体１４からの取付用台座１５の脱落が効果的に防止され得る。
【００６５】
以上、本発明の実施形態について説明してきたが、本発明はかかる実施形態における具体的な記載によって限定的に解釈されるものでなく、当業者の知識に基づいて種々なる変更、修正、改良などを加えた態様で実施可能である。
【００６６】
たとえば、前記実施形態では、切割り３８は、ブッシュ本体１４の内孔２０の中心を通る直線Ｌ上に位置していたが、限定されるものでない。すなわち、本発明によれば、切割りの位置に拘わらず、底壁部４５において幅方向両端を支点として中央部分が取付用台座１５から離隔する弾性変形時に、挿入突起４６に作用する取付用台座１５から離隔する方向の変位量や力が軽減されることで、ブッシュ本体１４の取付用台座１５からの意図しない脱落が抑えられる。尤も、ブッシュ本体１４における切割りは、取付用台座１５上には形成し難いし、取付用台座１５側の半周部分に設けた場合には底壁部４５に惹起される取付用台座１５から離隔方向の弾性変形も大きくならないことから、本発明では、ブッシュ本体における切割りが、周壁部２２における取付用台座１５とは反対側の半周部分に位置して設けられた態様が採用される。好適には、ブッシュ本体１４の周壁部２２において、図１中の直線Ｌに直交して中心軸上を左右に延びる径方向線よりも上方に外れた位置に切割りを設けた態様として本発明が実施されることとなる。
【００６７】
また、切割り３８は、周壁部２２の長さ方向で傾斜して軸方向に延びていても良いし、中心軸の径方向線に対して傾斜して厚さ方向に伸びていても良い。
【００６８】
更にまた、挿入突起４６は、直線Ｌに対して傾斜して突設されていても良い。特に挿入突起４６は、ブッシュ本体１４の底壁部４５からの突出位置とされる底壁部４５上の基端位置が、底壁部４５の幅方向（周方向）の中心から外れていれば良く、それによってブッシュ本体１４を切割り３８で開いて弾性変形させた際に挿入突起４６へ及ぼされる引張方向の変位量や力の軽減が図られ得る。なお、嵌合孔６０も、上下方向線に対して傾斜して延びる方向に形成されていても良い。
【００６９】
また、前記実施形態では、スタビライザブッシュ１０の車両への装着状態で、挿入突起４６の全体が、取付用台座１５の嵌合孔６０や座ぐり穴６１と車両ボデー１８とによって画成された内部空間に収容されることで保護されていたが、例えば挿入突起４６の先端部分は外部に露出されるようになっていても良い。また、例えば車両ボデー１８側にスペースを確保できる場合には、座ぐり穴６１を設けることなく、取付用台座１５を貫通して嵌合孔６０を形成し、挿入突起４６の先端部分を取付用台座１５の下面から外部へ突出させることも可能である。
【００７０】
さらに、前記実施形態では、長円形状の横断面を有する挿入突起４６が一つ設けられていたが、例えば挿入突起が複数設けられることでブッシュ本体と取付用台座との相対回転を防止してもよく、かかる場合には、挿入突起の横断面が長円形状等とされる必要はない。また、ブッシュ本体１４と取付用台座１５との挿入突起４６回りの相対回転の規制を、ブッシュ本体１４と取付用台座１５との重ね合わせ面の幅方向両側に位置する段差３４，３４などを利用して実現することも可能であり、その場合にも、挿入突起４６と嵌合孔６０との相対回転の規制機構を採用せずとも両部材の不用意な相対回転を防止することができる。
【００７１】
また、挿入突起４６における笠部５０は、取付用台座１５の嵌合孔６０へ係止されるものであれば良く、例えば柄部４８の周上で部分的に外周側へ突出する態様や、柄部４８の先端がフック状に曲げられた態様の笠部なども採用可能である。尤も、本発明では、挿入突起と嵌合孔との機械的な係止機構に限定されるものでなく、挿入突起の嵌合孔からの抜け出しを阻止して嵌合状態に保持し得るものであれば、例えば圧入構造やテーパ嵌合構造なども係止機構に代えて採用することができる。
【００７２】
更にまた、本発明に係るブッシュ本体やブラケット、中間板の形状などは、要求される防振特性などに応じて適宜設定され得る。また、取付用台座の大きさなどは、採用される自動車の車種やグレードなどに応じて適宜変更可能であり、共通のブッシュ本体に対して複数種類の取付用台座を適用することも可能である。
【符号の説明】
【００７３】
１０：スタビライザブッシュ、１４：ブッシュ本体、１５：取付用台座、１６：スタビライザバー、１８：サブフレーム（車両ボデー）、１９：ブラケット、２０：内孔、３８：切割り、３９：中間板、４６：挿入突起、４８：柄部、５０：笠部、５２：テーパ状部（細柄部）、６０：嵌合孔
【図１】
0006596350.tif 000002
【図２】
0006596350.tif 000003
【図３】
0006596350.tif 000004
【図４】
0006596350.tif 000005
【図５】
0006596350.tif 000006
【図６】
0006596350.tif 000007
【図７】
0006596350.tif 000008
【図８】
0006596350.tif 000009
【図９】
0006596350.tif 000010